(57)【要約】【課題】パネルを保持部材によって保持する構造のプラズマディスプレイ装置において、駆動中でのノイズの発生を抑制した状態にパネルを保持したプラズマディスプレイ装置、およびその製造方法を実現することを目的とする。【解決手段】少なくとも前面側が透明な一対の基板１、５を対向配置したプラズマディスプレイパネル１０と、このプラズマディスプレイパネル１０を保持する保持部材１４とを備え、プラズマディスプレイパネル１０は、その長辺方向が前面側に対して凹形状に湾曲して保持されていることを特徴とするプラズマディスプレイ装置である。【選択図】図４
2005292617.tif 000002
【特許請求の範囲】
【請求項１】
少なくとも前面側が透明な一対の基板を対向配置したプラズマディスプレイパネルと、このプラズマディスプレイパネルを保持する保持部材とを備え、プラズマディスプレイパネルは、その長辺方向が前面側に対して凹形状に湾曲して保持されていることを特徴とするプラズマディスプレイ装置。
【請求項２】
保持部材は、プラズマディスプレイパネルの背面側に対し接着部材により接着することでプラズマディスプレイパネルを保持し、保持部材とプラズマディスプレイパネルとの間の接着部材の厚みは、プラズマディスプレイパネル長辺方向に対しての中央部を端部より１ｍｍ〜２ｍｍ薄く構成していることを特徴とする請求項１に記載のプラズマディスプレイ装置。
【請求項３】
接着部材が、シート状部材に接着層を形成した構成であることを特徴とする請求項２に記載のプラズマディスプレイ装置。
【請求項４】
シート状部材が、熱伝導シートであることを特徴とする請求項３に記載のプラズマディスプレイ装置。
【請求項５】
接着部材の硬度が、１０アスカーＣ〜３０アスカーＣであることを特徴とする請求項１から３のいずれかに記載のプラズマディスプレイ装置。
【請求項６】
凹形状の凹み量が、１ｍｍ〜２ｍｍであることを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００３】
このプラズマディスプレイ装置は、プラズマディスプレイパネル（以下、パネルと記す）とそれを保持する保持部材とを備えており、このパネルとしては、大別して、駆動的にはＡＣ型とＤＣ型があり、放電形式では面放電型と対向放電型の２種類があるが、高精細化、大画面化および製造の簡便性から、現状での主流は、３電極構造の面放電型のものである。
【０００４】
この面放電型のパネルの構造は、前面側のガラスのような基板と背面側のガラスのような基板との間に放電空間を形成するように対向配置するとともに、前記放電空間を複数に仕切るための隔壁を基板間に挟むように配置し、かつ前記隔壁により仕切られた放電空間で放電が発生するように基板に電極群を配置するとともに放電により発光する赤色、緑色、青色に発光する蛍光体を設けることで複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００５】
そして、前面側の基板と背面側の基板とが隔壁を挟持して貼り合わされ、また内部にはネオンを主体とする放電ガスが約６６．５ｋＰａ（約５００Ｔｏｒｒ）で封入されており、パネル内部の気圧は大気圧より小さいことから（例えば、非特許文献１参照）、したがって、前面側の基板は背面側の基板と隔壁を介して圧接された状態となっている。
【非特許文献１】内池平樹、御子柴茂生共著、「プラズマディスプレイのすべて」（株）工業調査会、１９９７年５月１日、ｐ１０６、ｐ２０６
【発明の開示】
【発明が解決しようとする課題】
【０００６】
ここで、上述したプラズマディスプレイ装置においては、画像表示の際、パネルからノイズが発生する場合がある。また、通常の環境下ではノイズが確認されない場合であっても、高地などの気圧の低い環境下で使用するとノイズを発生するようになるものもある。このようなノイズは、そのレベルによっては耳障りとなり、商品としての品質を著しく低下させるものである。
【０００７】
このようなノイズが発生する原因は、以下のように考えられる。すなわち、上述のように、パネルは、前面側の基板と背面側の基板との間に、隔壁を挟んで配置し、その上で、周辺部に形成した封着部材によって貼り合わせた構造であることから、保持部材によりパネルを保持させる際、その保持状態によってはパネルに変形が発生し、隔壁と基板との間に隙間が生じるような場合があるものと考えられる。このような隙間の発生は、高地等、気圧の低い場所においてより顕著となるものと考えられる。
【０００８】
ここで、基板に配置した電極群には、その駆動時に周期的な電圧が印加されるため、前面側の基板と背面側の基板との間には周期的な引力および／または斥力が作用することとなる。したがって、隔壁と基板との間に隙間が存在する場合、前面側の基板および／または背面側の基板は引力および／または斥力により振動するようになり、その結果、ノイズが発生してしまうものと考えられる。
【０００９】
本発明は上記課題に鑑みてなされたものであり、パネルを保持部材によって保持する構造のプラズマディスプレイ装置において、パネル自身の形状を大きく変形させずに保持することで、駆動中でのノイズの発生を抑制することが可能なプラズマディスプレイ装置を実現することを目的とする。
【課題を解決するための手段】
【００１０】
上記目的を達成するために本発明のプラズマディスプレイ装置は、少なくとも前面側が透明な一対の基板を対向配置したプラズマディスプレイパネルと、このプラズマディスプレイパネルを保持する保持部材とを備え、プラズマディスプレイパネルは、その長辺方向が前面側に対して凹形状に湾曲して保持されていることを特徴とするものである。
【発明の効果】
【００１１】
本発明のプラズマディスプレイ装置によれば、パネルを保持部材によって保持する構造のプラズマディスプレイ装置において、パネル自身の形状を大きく変形させずに保持することができ、もって駆動中でのノイズの発生を抑制することが可能なプラズマディスプレイ装置を実現することができる。
【発明を実施するための最良の形態】
【００１２】
すなわち、本発明の請求項１に記載の発明は、少なくとも前面側が透明な一対の基板を対向配置したプラズマディスプレイパネルと、このプラズマディスプレイパネルを保持する保持部材とを備え、プラズマディスプレイパネルは、その長辺方向が前面側に対して凹形状に湾曲して保持されていることを特徴とするプラズマディスプレイ装置である。
【００１３】
また、請求項２に記載の発明は、請求項１に記載の発明において、保持部材は、プラズマディスプレイパネルの背面側に対し接着部材により接着することでプラズマディスプレイパネルを保持し、保持部材とプラズマディスプレイパネルとの間の接着部材の厚みは、プラズマディスプレイパネル長辺方向に対しての中央部を端部より１ｍｍ〜２ｍｍ薄く構成していることを特徴とするものである。
【００１４】
また、請求項３に記載の発明は、請求項２に記載の発明において、接着部材が、シート状部材に接着層を形成した構成であることを特徴とするものである。
【００１５】
また、請求項４に記載の発明は、請求項３に記載の発明において、シート状部材が、熱伝導シートであることを特徴とするものである。
【００１６】
また、請求項５に記載の発明は、請求項１から３のいずれかに記載の発明において、接着部材の硬度が、１０アスカーＣ〜３０アスカーＣであることを特徴とするものである。
【００１７】
また、請求項６に記載の発明は、請求項１に記載の発明において、凹形状の凹み量が、１ｍｍ〜２ｍｍであることを特徴とするものである。
【００１８】
以下、本発明の一実施の形態によるプラズマディスプレイ装置について、図１〜図４を用いて説明するが、本発明の実施の態様はこれに限定されるものではない。
【００１９】
まず、プラズマディスプレイ装置におけるプラズマディスプレイパネルの構造について図１を用いて説明する。図１に示すように、ガラスなどの透明で絶縁性の前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００２０】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００２１】
上述の基板１と基板５とは、表示電極２とアドレス電極７とがほぼ直交するように、微小な放電空間を挟んで対向配置されるとともに周囲が封止され、そして前記放電空間には、ヘリウム、ネオン、アルゴン、キセノンのうちの一種または混合ガスが放電ガスとして、大気圧より低い圧力である約６６．５ｋＰａ（５００Ｔｏｒｒ）で封入されており、このことにより、前面側の基板１は背面側の基板５に対して隔壁８を介して圧接されている。なお、図１は構成が判りやすいように、基板１と基板５とを離した状態で示している。
【００２２】
また、放電空間は、隔壁８によって複数の区画に仕切ることにより、表示電極２とアドレス電極７との交点のそれぞれが放電セルとなり、その各放電セルには、赤色、緑色及び青色となるように蛍光体層９が一色ずつ順次配置されている。以上によりプラズマディスプレイパネル（パネル）１０が構成される。
【００２３】
図２にこのパネル１０の電極配列を示しており、図２に示すようにスキャン電極およびサステイン電極とアドレス電極とは、Ｍ行×Ｎ列のマトリックス構成であり、行方向にはＭ行のスキャン電極ＳＣＮ1〜ＳＣＮMおよびサステイン電極ＳＵＳ1〜ＳＵＳMが配列され、列方向にはＮ列のアドレス電極Ｄ1〜ＤNが配列されている。
【００２４】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２５】
図３に上記で説明した構造のパネルを組み込んだ本発明の一実施の形態によるプラズマディスプレイ装置の全体構成を示している。図において、パネル１０を収容する筐体は、前面枠１１と金属製のバックカバー１２とから構成され、前面枠１１には、パネル１０の外形寸法より小さくかつパネル１０の表示領域より大きい開口部が設けられている。
【００２６】
また、パネル１０の前面側には、光学フィルターを有する平板形状の衝撃保護部材である前面カバー１３が前記パネル１０の表面側を覆うように貼り付けることにより配置され、この前面カバー１３が前記前面枠１１の開口部より表に露出している。この前面カバー１３には、銀蒸着などによる電磁波の不要輻射を抑制するための不要輻射抑制膜が設けられている。さらに、バックカバー１２には、パネル１０等で発生した熱を外部に放出するための複数の通気孔１２ａが設けられている。
【００２７】
前記パネル１０の裏面と、保持部材としてのアルミニウム等からなるシャーシ部材１４の前面とが、接着部材１５により接着、固定されることで保持されている。
【００２８】
ここで、パネル１０は、その自身の形状として、長辺方向が前面側に対して最大１ｍｍ程度凹んだ形状となることを本発明者が行った検討により判っている。そこで図４に示すように、接着部材１５として、その厚みがパネルの長辺方向に対しての中央部を端部より薄く、具体的には１ｍｍ〜２ｍｍ薄く構成することで、長辺方向が前面側に対して凹形状となるようにする。このような形状の接着部材１５により接着・固定されたパネル１０は、その自身の形状から大きく変形することなくシャーシ部材１４に保持されることとなる。
【００２９】
なお、上記接着部材１５の凹形状の凹み量を１ｍｍから２ｍｍの範囲とすることにより、ノイズ発生の問題を大幅に抑制できることを確認しており、これは以下の理由によるものと考えられる。すなわち、パネル１０の凹み量は最大１ｍｍであることから、上記形状の接着部材１５に接着・固定されたパネル１０には、パネル１０をさらに凹ます方向に力が作用することとなる。このことにより、ある程度までは、パネル１０には、基板１と基板５とが隔壁８を介して、より圧接する方向に力が作用することとなり、ノイズ発生に対してさらに抑制する方向に作用するものと考えられる。しかし、程度を超えてしまうと、パネル１０の基板１と基板５との変形に不整合が生じ、逆に隙間が生じ易くなりノイズが発生してしまうものと考えられる。
【００３０】
なお、接着部材１５を上述のような形状とする方法としては、接着部材１５をシート状とし、パネル１０の長辺方向に対しての中央部と短部とでその厚みを変化させるというものや、接着部材１５として、パネル１０の長辺方向に対しての中央部では厚いシート状のものを用い、端部では薄いシート状のものを用いるという方法や、重ね合わせの数により厚みを変化させるなど、さまざまな方法がある。
【００３１】
ここで、接着部材１５としては、厚みが最小の部分で１ｍｍ〜５ｍｍ程度のものが好ましく、ペースト状であってもシート状であっても、また、一枚ものであっても、複数に分離したものであっても、上述したような形状に形成したものであれば構わない。
【００３２】
また、それ自身が接着作用を有するものであっても、パネル１０と保持部材であるシャーシ部材１４との間にシート状部材１５ａを介在させ、接着剤による接着層１５ｂにより接着するというものであっても構わない。また、接着層１５ｂはテープでも構わない。
【００３３】
パネル１０で発生した熱をシャーシ部材１４に伝導させるために、例えばシート状部材１５ａは熱伝導シートであると好ましい。その際、接着層もその厚みによっては、熱伝導性を備えていることが好ましい。
【００３４】
次に、シャーシ部材１４の後面側には、パネル本体１０を表示駆動させるための複数の回路ブロック１６が取り付けられている。また、前記回路ブロック１６はパネル本体１０の表示駆動とその制御を行うための電気回路を備えており、パネル本体１０の縁部に引き出された電極引出部に、シャーシ部材１４の四辺の縁部を越えて延びる複数のフレキシブル配線板（図示せず）によって電気的に接続されている。
【００３５】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００３６】
以上のように本発明の一実施の形態によるプラズマディスプレイ装置によれば、パネル１０を保持部材であるシャーシ部材１４に対して貼り付ける際、パネル１０に生じる応力は軽減され、逆に前面側に対して凹となるように接着・固定されることで前面側の基板１と背面側の基板５とは、より圧接されることとなる。このことにより、例えば高度約３０００ｍ以上の減圧環境下でも、基板１と基板５との圧接状態は保たれ、ノイズが発生することはなかった。
【００３７】
また、パネル１０の振動を軽減する効果としては、接着部材１５を低硬度とすると、同じパネル１０であってもさらにノイズ抑制に対して効果があることが検討により判っている。すなわち、シート材料の硬度の大きさとしては１０アスカーＣ〜３０アスカーＣにすることが好ましい。また、接着部材１５としては、例えばアクリル系、ウレタン系、またはシリコン系材料からなるシートや、発泡ウレタンなどの発泡体からなる多孔質且つ弾性体のシート状部材１５ａに接着層１５ｂを形成したものを用いても良い。
【産業上の利用可能性】
【００３８】
以上述べたように本発明のプラズマディスプレイ装置によれば、パネルを保持部材によって保持する構造のプラズマディスプレイ装置において、パネル自身の形状を大きく変形させずに保持することができ、駆動中でのノイズの発生を抑制することが可能なプラズマディスプレイ装置を提供することが可能となる。
【図面の簡単な説明】
【００３９】
【図１】本発明の一実施の形態によるプラズマディスプレイ装置のパネルの概略構成を示す断面斜視図
【図２】本発明の一実施の形態によるプラズマディスプレイ装置のパネルの電極配列を模式的に示す図
【図３】本発明の一実施の形態によるプラズマディスプレイ装置の概略構成を示す斜視図
【図４】本発明の一実施の形態によるプラズマディスプレイ装置における、パネルとシャーシ部材との接着・固定状態を模式的に示す断面図
【符号の説明】
【００４０】
１０  パネル
１４  シャーシ部材（保持部材）
１５  接着部材
１５ａ  シート状部材
１５ｂ  接着層
【図１】
2005292617.tif 000003
【図２】
2005292617.tif 000004
【図３】
2005292617.tif 000005
【図４】
2005292617.tif 000006